(57)【要約】  本装置は、使用者が許可された本人でない場合、または使用者自身もしくは他の人の安全性を保証するのに必要な身体条件が揃っていない場合に、車両（自動車など）または電気／電子機器もしくは電子医療機器の始動など、機械器具の始動を回避するために、個人識別の成り済ましを防止するためのものである。本装置は：血中アルコール率または呼気の圧力などのデータを取得するためのマウスピースを具備した第１のモジュール、中央処理装置を有する第２のモジュール、ならびにマイクロカメラおよび目の照明手段を備えた、使用者の目の像を撮像するための第３のモジュールを備える。使用者の目とマイクロカメラとの間の好適な距離は、２ｃｍから５ｃｍである。【選択図】図２
2013537442.tif 000002
【特許請求の範囲】
【請求項１】
本人識別の潜在的な成り済ましを防止することを目的とし、特に、特定の行為の実行を回避するための、近距離からの目の生体認証により本人を識別し、確実性を保証する装置であって：
−  圧力および使用者の体内に含まれる特定成分の濃度など、前記装置の適用に必要なパラメータに関連するデータを取得するための、第１のモジュール（１）；
−  前記第１のモジュール（１）に接続され、目的のパラメータを測定するための中央処理装置（２１）ならびに発光インジケータ素子および音響インジケータ素子（２３、２４）を有する、第２のモジュール（２）、および
−  照明システム（３２）を備え、使用者の目の像を撮像するための、第３のモジュール（３）
を備えることを特徴とする、装置。
【請求項２】
前記第１のモジュール（１）は、使用者の呼気を取り込むためのマウスピース（１１）、圧力センサ（１２）および血中アルコール率などの調査済パラメータ用のセンサ（１３）を備えることを特徴とする、請求項１に記載の装置。
【請求項３】
前記第２のモジュール（２）は、中央処理装置（２１）を備え、前記装置と相互作用し、セキュリティコードを介して前記装置を作動させるためのキーボード（２２）、ならびに発光インジケータ（２３）および音響インジケータ（２４）とともに完全なものになることを特徴とする、請求項１に記載の装置。
【請求項４】
前記第３のモジュール（３）は、前記第２のモジュール（２）に接続され信号を出力するマイクロカメラ（３１）、およびエレクトロルミネセンス素子（ＬＥＤ）などの局所照明手段（３２）を有することを特徴とする、請求項１に記載の装置。
【請求項５】
前記装置の実用的な実施は、ベース（４１）および呼気用前記マウスピース（１１）を外部に備える機能カバー（４２）で構成されるケーシング（４）、前記マイクロカメラ（３１）を通す孔を備えた接眼レンズ（４３）およびその保護カバー（４４）、前記装置の動作を表示する発光インジケータ（２４）、ならびに非常用解除ボタン（２５）で形成された、手で持って使用する携帯型の器具を用いて確認されることを特徴とする、請求項１のいずれか一項に記載の装置。
【請求項６】
前記装置の内部に、前記マイクロカメラ、前記中央処理装置および前記センサの動作にそれぞれ対応するプリント回路基板（２６、２７、２８）、電源（１９）ならびに前記中央処理装置（２１）のほか、使用者の目の領域を照明するためのエレクトロルミネセンス素子（３２）、ならびに車両およびコンピュータの電気回路と接続するための口を備えることを特徴とする、請求項１〜５のいずれか一項に記載の装置。
【請求項７】
使用者の目と感知用の前記マイクロカメラ（３１）との間の好適な視覚距離は、２ｃｍから５ｃｍであることを特徴とする、請求項１〜６のいずれか一項に記載の装置。
【発明の詳細な説明】
【技術分野】
【０００１】
本発明は、近距離からの目の生体認証により本人を識別し、確実性を保証する装置に関する。
【０００２】
本発明の分野は、基本的に、アクセス制御、支払いの実行、機械の作動、医療上の適用など、様々な状況における本人識別の潜在的な成り済ましの防止である。特定の事例として、本発明の分野には、血中に過剰なアルコールまたは麻薬成分が検出された人が車両を運転して起こす交通事故の防止も含まれ、この過剰成分の検出は、血中アルコール含有量テストまたはこのような成分を対象とする特別なテストを介して認知可能なものであり、このようなテストは、このような目的のために設計された機械にその人の呼気を吹き込むことによって実施される。
【０００３】
車両についての前述の記載は、ある場所から他の場所へ人または物品を移動させるあらゆる手段、および熱機関または電気モータを備えるあらゆる種類の重機、農業機械および特殊な機械に拡大解釈すべきである。
【背景技術】
【０００４】
車両運転者の安全のために、前述の結果と同様の結果を得るための実施形態が知られているが、そのどれもが様々に異なる原理および実施形態に基づくものである。
【０００５】
１つの先例が、可能性のある運転者の呼気に過剰なアルコールが検出された場合に車両を不動にするアルコール計であり、本出願者が設計したこのアルコール計では、個人の光学認識は、目と器具との間で比較的長い距離（例えば約１０から１５センチメートル）で実施され、可能性のある車両運転者の虹彩の写真をあらかじめ導入しておく必要がある。アルコールセンサ素子への息の吹き込みは、車両を始動させようとする運転者の虹彩検査の実施と同時に行われなければならない。
【０００６】
特許文献１およびこれに対応する特許文献２は、呼気に含まれるアルコール度を検出し、使用者を識別する光学認識を行わずに、車両始動システムに接続された検証器具を用いてその結果を解釈するシステムについて言及している。
【０００７】
特許文献３は、推定使用者の網膜を検査するがこの使用者の呼気は検査しない、車両の盗難防止装置を記載している。
【０００８】
特許文献４は、呼気分析器および使用者の目の様相のセンサを組み合わせたものを記載しており、このセンサは、分析器から所定の距離を置いた所で動作し、両素子は、所定の回路集合体を介して連絡しているが、この回路は、求められている目的に対する信頼性が疑わしい。
【０００９】
本発明の目的と同様の目的を持つ他の先例は、構想、開発および実施の点で互いに異なる原理に基づいており、以下の特許からなる：特許文献５、特許文献６、特許文献７、特許文献８、特許文献９、特許文献１０、特許文献１１、特許文献１２、特許文献１３、特許文献１４、特許文献１５、特許文献１６、特許文献１７。
【先行技術文献】
【特許文献】
【００１０】
【特許文献１】米国特許第６，７４８，７９２号
【特許文献２】欧州特許第１，５９１，２９６号
【特許文献３】米国特許第５，８４５，７３３号
【特許文献４】米国特許第６，４３３，８６３号
【特許文献５】米国特許第５，７２９，６１９号
【特許文献６】米国特許第５，８４５，７３３号
【特許文献７】米国特許第６，１９８，９９６号
【特許文献８】米国特許第６，４３３，８６３号
【特許文献９】米国特許第６，７４８，７９２号
【特許文献１０】米国特許第７，２５６，７００号
【特許文献１１】米国特許第２００２／００８９６６０号
【特許文献１２】米国特許第２００４／０２３９５１０号
【特許文献１３】欧州特許第０，９５５，２１９号
【特許文献１４】欧州特許第１，５９１，２９６号
【特許文献１５】国際特許第０２／２２，４０７号
【特許文献１６】国際特許第２００６／１１６１８７号
【特許文献１７】英国特許第２，４１５，０３６号
【発明の概要】
【発明が解決しようとする課題】
【００１１】
本発明の目的である装置は、車両（自動車など）の発車または電気／電子機器もしくは電子医療機器の始動など、機械の作動動作が開始されるのを、運転者が上述の始動動作に対して許可された本人でない場合、または運転者もしくは使用者および、後者の場合は、その同乗者自身の確実性ならびに車両もしくは装備全体を保証するのに必要な身体条件が揃っていない場合に、回避するためのものである。
【課題を解決するための手段】
【００１２】
このようにするために、本装置は、使用者の本人性を認識するためのシステムであって、車両の運転という特定の事例では、調査時に使用者の呼気サンプルを吸引することに関わるシステム、および上述のサンプル内のアルコールまたは麻薬成分のレベルに応じて、エンジンまたは機器の始動を可能にするまたは阻止する、前述の２つの事柄に関わるシステムを有する。
【００１３】
近距離とは、５ｃｍ未満の距離のことであり、虹彩による他の本人認識システムと比較して、この程度の規模は傑出している。
【図面の簡単な説明】
【００１４】
説明を簡易化するため、本明細書には、機能的なブロック図および斜視図を添付しており、これらの図には、特許請求の範囲の原理による、近距離からの目の生体認証により本人を識別し、確実性を保証する装置の概念および構造を示している。
【００１５】
【図１】本装置の構造における３つの主要モジュール、つまり撮像および照明システム用の第１のモジュール（１）、アルコール率または麻薬成分率を測定する第２のモジュール（２）、およびデータを処理する第３のモジュール（３）であって；使用者と本装置を形成する集合体との間の相互作用および通信を行ういくつかの素子をさらに備える、３つのモジュールを示すブロック図である。
【図２】本発明の装置の実用的な実施形態の外部の斜視図である。
【図３】本装置自体の断面斜視図である。
【発明を実施するための形態】
【００１６】
ブロック図および図面に符号で示した素子は、以下で記載する部分に相当する：
【００１７】
第１のモジュール（１）は、圧力および使用者の体内に含まれる特定成分の濃度など、本装置の適用に必要なパラメータに関連するデータを取得するようになっており；マウスピース（１１）は、使用者が吐き出す空気流を、空気が入ったときの圧力変化を感知して本装置を作動させることができる圧力センサ（１２）の方へ、および吐き出され分析された空気流に含まれるアルコールまたは麻薬成分の濃度を測定するセンサ（１３）の方へ導く素子である。
【００１８】
第２のモジュール（２）は、目的のパラメータを測定するための第１のモジュール（１）に接続されており、中央処理装置（２１）を有する。キーボード（２２）によって、本装置との相互作用が可能になり、セキュリティコードを用いて強化して本装置を作動させることができる。中央処理装置（２１）は、装置または機器全体の動作を制御するマイクロプロセッサである。
【００１９】
本装置は、このほかにも、ＬＥＤのようなエレクトロルミネセンス素子と一体化したいくつかの発光インジケータ（２４）を備え、この発光インジケータは、使用者に装置の状態およびテスト結果を知らせる。
【００２０】
音響インジケータ（２４）は、本質的に、テスト工程の過程で使用者を誘導するいくつかのブザーからなる。
【００２１】
第３のモジュール（３）では、マイクロカメラ（３１）が使用者の目の像（形状および寸法）を撮像し；照明部（３２）は、目のくぼみを均一かつ拡散的に照明するＬＥＤの集合体である。
【００２２】
図２および図３において、符号は、次の素子に相当する：（４１および４２）ケーシング（４）のベースおよびカバー、（１１）マウスピース、（４３）ファインダ、（３１）マイクロカメラ、（４４）ファインダカバー、（２４）結果を表示する発光インジケータ、（２５）非常用解除ボタン、（２６、２７、２８）回路セクションを搭載しているプリント回路基板、（２９）一体型電源、（２１）中央処理装置、（３２）照明部のＬＥＤ。
【００２３】
本明細書に記載の装置は、アルコール計または麻薬成分検出器により得られた登録データを、使用者の生体認証データ（目の虹彩による識別）と組み合わせ、これによって出力信号を生成する機器を構成する。
【００２４】
この信号は、以下の場合にはネガティブに解釈される：
−  本人識別システムを利用する使用者が登録されていない、つまり、装置に認識されない；
−  本人識別システムを利用する使用者は登録されているが、許容率よりも高いアルコール率または麻薬成分率が示される。
前述した素子を備えている場合、本装置の動作は以下のようになる。
【００２５】
使用者は、右目でマイクロカメラ（３１）を直接見て、マウスピース（１１）が唇の間に入る状態になるように本装置を配置する。右目は、マイクロカメラから約３から５ｃｍの距離に保たれる。
【００２６】
本装置は、モニタとして機能して、圧力センサ（１２）を介して得られた圧力変化を常時感知し、表示する。圧力レベルの大幅な上昇が感知されると、インジケータ（２４）によって音響信号が作動し、一連のセンサ（１２および１３）を通って流れる空気流の算出が開始される。空気流が設定された閾値レベルを上回ると、使用者の目の像が撮られ、アルコールまたは麻薬成分のレベルが保存される。
【００２７】
中央処理装置（２１）は、使用者の目の像を処理し、この像を固有のコードに変換し、このコードは、本装置のメモリに事前に保存されていたコードと比較される。得られたコードが保存されているコードのうちのいくつかと一致しない場合、テスト結果は、ネガティブである。逆の場合、使用者は、識別された状態である。アルコールまたは麻薬成分のレベルが設定された最大値を下回る場合、テスト結果はポジティブである（使用者にとって好ましい）；逆の場合、テスト結果はネガティブである（使用者にとって好ましくない）。
【００２８】
実施された全テストの結果は、本装置のメモリに保存され、後に適切なプログラムを用いてコンピュータからダウンロードされることができる。
【００２９】
キーボード（２５）があることにより、使用者ごとに発行される固有の機密コードを介してポジティブな出力結果を強化することができる。機密コードを介した作動は、上述のポジティブな出力結果を正確で正当であると認める特別な行為を想定したものであり、その場合の出力結果もメモリに登録される。
【００３０】
本装置を用いたテストは、制御された器具および（この場合は）車両を始動させた後、定期的に実施する必要がある可能性がある。本装置は、検査を再度行う時期を使用者に表示し、結果または検査を定期的にし損ねた事実をメモリに記録する。
【００３１】
特定の状況において、また本装置の構成に応じて、結果は、単純に情報を提供するものであってもよい（つまり、機器は、使用者および例えば血中アルコール含有度を認識するが、使用者の血中アルコールレベルが設定最大値を上回っていても車両を始動できるということである）。
【００３２】
中央処理装置（２１）は、ＧＰＳのような全地球測位システムに接続されるようになっており、このシステムを用いて、例えばバーなどの近郊で使用しようとするときに、本装置を備えた車両の位置を特定することが可能になる。
【００３３】
好適な一実施形態では、ＧＰＳは、本装置のケーシングの中に収容され、本装置をより一体化したものにし、ＧＰＳは、車両の盗難または車両の無許可使用の発生を制御することができる。
【００３４】
本発明の装置は、（ケーブルまたは無線を介した）通信システムを他の電子機器と組み合わせる。
【００３５】
照明システム（３２）の好適な一実施形態は、低消費電力で小型化したエレクトロルミネセンス素子（ＬＥＤ）の使用に基づくものであり、この素子は、６４０ｎｍの帯域で動作し、好ましい光学特性およびカメラ特性が得られるように目のくぼみを正確に照明することができる。しかしながら、本装置に対して想定される適用例に応じて、照明の種類、照明素子および動作の回数は変化してもよい。
【００３６】
本装置は、車両のバッテリ、内蔵バッテリまたは公共の給電網など、様々な給電システムと共に機能することができる。
【００３７】
本発明の性質、および好適な実施例を十分に記載した今、適切な目的に対して、記載した素子の材料、形態、サイズおよび配置が、以下に特許請求する本発明の本質的特徴を変更するものでないかぎり修正されてもよいことは、明らかである。 
【図１】
2013537442.tif 000003
【図２】
2013537442.tif 000004
【図３】
2013537442.tif 000005
【手続補正書】
【提出日】平成25年3月18日(2013.3.18)
【手続補正１】
【補正対象書類名】明細書
【補正対象項目名】００１５
【補正方法】変更
【補正の内容】
【００１５】
【図１】本装置の構造における３つの主要モジュール、つまりアルコール率または麻薬成分率を測定するための第１のモジュール（１）、データを処理するための第２のモジュール（２）、および撮像および照明システムのための第３のモジュール（３）であって、使用者と本装置を形成する集合体との間の相互作用および通信を行う素子をさらに備える、３つのモジュールを示すブロック図である。
【図２】本発明の装置の実用的な実施形態の外部の斜視図である。
【図３】部分的断面を示す、同じ本装置の斜視図である。
【手続補正２】
【補正対象書類名】明細書
【補正対象項目名】００１９
【補正方法】変更
【補正の内容】
【００１９】
本装置は、このほかにも、ＬＥＤのようなエレクトロルミネセンス素子と一体化したいくつかの発光インジケータ（２３）を備え、この発光インジケータは、使用者に装置の状態およびテスト結果を知らせる。
【国際調査報告】
2013537442.tif 000006
2013537442.tif 000007
2013537442.tif 000008
2013537442.tif 000009
2013537442.tif 000010
2013537442.tif 000011